(57)【特許請求の範囲】
【請求項１】
第１の信号記録面と第２の信号記録面とを有し、上記第１の信号記録面と上記第２の信号記録面とを貼り合わせるようにした光ディスクにおいて、
上記第１の信号記録面において上記ディスクの中心孔を包囲するように所定の溝を設け、上記第２の信号記録面において上記溝の位置に対応する位置に所定の溝を設け、上記第１の信号記録面と上記第２の信号記録面とを貼り合わせたときに上記溝同士によって形成される間隙に、上記ディスクに関わる情報が記録されたメモリと、上記メモリに対して非接触で情報の入出力を行う入出力部とを配設するようにしたことを特徴とする光ディスク。
【請求項２】
上記入出力部は、上記ディスクの中心軸と同一の中心軸を有するコイルで形成されるようにした請求項１記載の光ディスク。
【請求項３】
上記入出力部は、同一搬送波からデータを復調すると共に電源を形成するものであることを特徴とする請求項１記載の光ディスク。
【発明の詳細な説明】
【０００１】
【発明の属する技術分野】
この発明は、ディスクの内容や履歴等を記録できる光ディスクに関するもので、特に、ＤＶＤに用いて好適な光ディスクに関わる。
【０００２】
【従来の技術】
波長の短いレーザ光を使用すると共に対物レンズの開口数を大きくすることにより、現行のコンパクトディスクの数倍の約８〜１０Ｇバイトの記録容量を有するようにした光ディスク（ＤＶＤと称される）が開発されている。このようなＤＶＤには、例えば、ＭＰＥＧ２により圧縮されたディジタルビデオ信号を記録して、動画再生用として用いるばかりでなく、大容量のディジタルデータ記録する記録媒体として用いることが期待されている。
【０００３】
ＤＶＤのような大容量の記録媒体では、記録されるデータ量も膨大になることから、データの管理が困難になる。また、ＤＶＤには、ディジタルビデオ信号が記録されることから、記録番組の内容、記録年月日、記録回数等の履歴の管理、プロテクトの有無等のＩＤ情報の管理等が必要になってくる。そこで、ディスクに関する情報を記憶するメモリを設け、このメモリにディスクのファイルや番組の内容、記録年月日、履歴、ＩＤ等を記録することが考えられる。
【０００４】
このように、ディスクに関する情報を記憶するメモリを設ける場合、ディスクが収納されるディスクカートリッジ内に、ディスクの情報を記録したメモリを設けることが考えられる。この場合、ディスクがプレーヤ本体内に装着されると、コネクタを介して、ディスクカートリッジ内のメモリとプレーヤ本体内のコントローラとの間が接続される。ディスクカートリッジ内のメモリから、ファイルや番組の内容、記録年月日、履歴、ＩＤ等、ディスクに関する情報が読み出され、これにより、ディスクが管理される。
【０００５】
【発明が解決しようとする課題】
ところが、ＤＶＤでは、現行のコンパクトディスクとの互換性を図るために、ディスクとディスクカートリッジとが一体化された構造とされていない。このため、上述のように、ディスクカートリッジ内にメモリを設けるような構成とすることはできない。
【０００６】
そこで、ディスクカートリッジを有していない光ディスクの場合にも対処できるように、ディスクの情報が格納されるメモリをディスク内に取り付けることが考えられる。ところが、この場合、ディスクは回転しているため、ディスクに取り付けられたメモリとプレーヤ本体内のコントローラとをコネクタで接続することができない。ディスク内のメモリ側から導出された信号線をディスクの円周上に沿って環状に配設し、この環状の信号線上にブラシを摺動させる構造とすることが考えられるが、このようにな構造では、信頼性に問題がある。
【０００７】
そこで、例えば、ディスク内のメモリと、プレーヤ本体内のコントローラとを、電磁波で結ぶことが考えられる。ところが、ディスク内にこのような機能をもたせたために、ディスクの厚みやディスクの形状が従来のディスクと変わってしまうと、互換性に問題が生じている。
【０００８】
したがって、この発明の目的は、ディスクの互換性が失われずに、ディスクの情報をディスク内に格納することができる光ディスクを提供することにある。
【０００９】
【課題を解決するための手段】
この発明は、第１の信号記録面と第２の信号記録面とを有し、第１の信号記録面と第２の信号記録面とを貼り合わせるようにした光ディスクにおいて、
第１の信号記録面においてディスクの中心孔を包囲するように所定の溝を設け、第２の信号記録面において溝の位置に対応する位置に所定の溝を設け、第１の信号記録面と第２の信号記録面とを貼り合わせたときに溝同士によって形成される間隙に、ディスクに関わる情報が記録されたメモリと、メモリに対して非接触で情報の入出力を行う入出力部とを配設するようにしたことを特徴とする光ディスクである。
【００１０】
光ディスクの内部に、ＣＰＵ、メモリ、送受信回路、電源回路からなる回路部と、回路部から導出されたコイル部とが埋め込まれる。そして、コイル部の結合により、外部との間で、非接触でデータの入出力を行うことができる。回路部及びコイル部がディスク内に埋め込まれているので、ディスクの外形は変化せず、互換性が保てる。また、外部との間のデータの入出力を非接触で行なえるので、信頼性が向上される。
【００１１】
【発明の実施の形態】
以下、この発明の実施の形態について図面を参照して説明する。図１において、１は光ディスクである。光ディスク１は、直径１２０ｍｍ、厚さ１．２ｍｍで、現行のコンパクトディスクと外形状の互換性を保ち、波長の短いレーザ光を使用すると共に対物レンズの開口数を大きくすることにより、現行のコンパクトディスクの数倍の約８〜１０Ｇバイトの記録容量を有するようにした光ディスク（ＤＶＤ）である。光ディスク１の中心部には、孔１０が形成される。光ディスク１がプレーヤに装着されると、光ディスク１は、孔１０を中心に回転される。
【００１２】
光ディスク１は、図２に示すように、２枚のディスク１Ａ、１Ｂを貼り合わせた構造とされている。すなわち、図２は、光ディスク１の断面構造を示すものである。厚さ０．６ｍｍの基板２Ａに、例えばアルミニュームの第１の反射膜３Ａが積層され、これに保護膜４Ａが積層され、ディスク１Ａが形成される。また、厚さ０．６ｍｍの基板２Ｂに、例えばアルミニュームの第２の反射膜３Ｂが積層され、これに保護膜４Ｂが積層され、光ディスク１Ｂが形成される。これら２枚のディスク１ＡとディスクＢへとが、接着層５を介して貼り合わされる。
【００１３】
図１において、光ディスク１のエリアＡ１にデータが記録される。そして、データ記録エリアＡ１の内周側の、データ記録に用いられないエリアＡ２に、ディスクの情報を記憶させるための回路部６と、回路部６から導出されたコイル部７とが配設される。コイル部７は、光ディスク１と同一の中心軸となるように埋設される。
【００１４】
前述したように、光ディスク１は、２枚のディスク１Ａ及び１Ｂを貼り合わせた構成とされており、回路部６及びコイル部７は、この２枚のディスク１ＡとディスクＢとの間に配置される。すなわち、図３に示すように、ディスク１Ａの回路部６及びコイル部７が配置される部分には、凹部８Ａが形成され、同様に、光ディスク１Ｂの回路部６及びコイル部７が配置される部分には、凹部８Ｂが形成される。ディスク１Ａ及び１Ｂを貼り合わせたときに、凹部８Ａと凹部８Ｂとの間に形成される間隙に、回路部６及びコイル部７が配置される。このように、回路部６及びコイル部７は、２枚のディスク１Ａ及び１Ｂとの間に埋め込まれているため、回路部６及びコイル部７を配置しても、ディスクの物理的な形状は変わらない。
【００１５】
図４は、回路部６の構成を示すものである。図４において、メモリ１２に、ファイルや番組の内容、記録年月日、履歴、ＩＤ等が記憶される。このメモリ１２に対するデータの読出し／書込みは、ＣＰＵ１１により制御される。外部とのデータの入出力は、コイル部７及び送受信回路１３により、電磁波により非接触で行われる。また、外部から与えられる搬送波を平滑して、電源が形成される。形成された電源は、電源回路１４から、ＣＰＵ１１、メモリ１２、送受信回路１３に供給される。
【００１６】
図５は、光ディスク１内の回路部６との間で、データの授受を行うための外部回路の構成を示すものである。図５において、ＣＰＵ２１に対して、メモリ２２と、キーボード２３と、送受信回路２４が設けられる。送受信回路２４からは、コイル部２５が導出される。データの入出力は、コイル部２５及び送受信回路１４により行われる。送受信回路１４に対して、電源回路２６が設けられている。
【００１７】
図４に示した光ディスク１内の回路部６と、図５に示した外部の回路との間のデータの入出力は、図６に示すようにして行われる。図６に示すように、光ディスク１のコイル部７と外部の回路のコイル部２５とは、対向して配置される。前述したように、光ディスク１のコイル部７は、光ディスク１の回転軸と同じ回転軸上に配設されている。外部のコイル部２５も、光ディスク１の回転軸と同じ回転軸上に配置される。このように、コイル部７とコイル部２５とを対向して配置すると、コイル部７とコイル部２５とは結合する。
【００１８】
外部の回路から光ディスク１内の回路部６にデータを送る場合には、ＣＰＵ２１からのデータが送受信回路２４に送られる。送受信回路２４でデータが変調される。この変調されたデータは、コイル部２５に供給される。コイル部２５とコイル部７とは結合されているため、このコイル部２５の出力は、コイル部７に伝達され、コイル部７の出力が送受信回路１３に供給される。送受信回路１３で、このデータが復調されると共に、送られてきたデータの搬送波が整流され、電源が形成される。この電源は、ＣＰＵ１１、メモリ１２、送受信回路１３に供給される。送受信回路１３で復調されたデータは、ＣＰＵ１１の制御の基に、メモリ１２に記憶される。
【００１９】
光ディスク１内の回路部６から外部の回路にデータを出力する場合には、ＣＰＵ１１の制御の基に、メモリ１２からのデータが読み出される。このデータは、送受信回路１３に供給される。送受信回路１３で、このデータが変調される。送受信回路１３の出力がコイル部７に供給される。コイル部７とコイル部２５とは結合されているため、このコイル部７の出力は、コイル部２５に伝達され、コイル部２５の出力が送受信回路２４に供給される。送受信回路２４で、送られてきたデータが復調される。復調されたデータは、送受信回路２４からＣＰＵ２１に送られる。
【００２０】
このように、この発明が適用された光ディスクでは、光ディスク１の内部に、ＣＰＵ１１、メモリ１２、送受信回路１３、電源回路１４からなる回路部６と、コイル部７とが埋め込まれる。そして、外部の回路との間で、非接触でデータの入出力を行うことができる。回路部６及びコイル部７が光ディスク１内に埋め込まれているので、ディスクの外形は変化せず、互換性が保てる。また、外部との間のデータの入出力を非接触で行なえるので、信頼性が向上される。
【００２１】
なお、上述の例では、ディスクの内周側のエリアＡ２に回路部６とコイル部７とを配設しているが、ディスクの外周側のエリアＡ３に回路部６及びコイル部７を配設するようにしても良い。
【００２２】
【発明の効果】
この発明によれば、光ディスクが２枚のディスクを貼り合わせて形成され、この２枚のディスクの間に、ＣＰＵ、メモリ、送受信回路、電源回路からなる回路部と、回路部から導出されたコイル部とが埋め込まれる。回路部及びコイル部がディスク内に埋め込まれているので、ディスクの外形は変化せず、互換性が保てる。また、光ディスクに埋め込まれたコイル部と外部の回路のコイル部とが対向して配置され、結合される。このため、光ディスクの内部の回路部と、外部の回路部との間で、非接触でデータの入出力を行うことができる。そして、光ディスクに埋め込まれたコイル部は、その回転軸がディスクの回転軸と同一であるため、ディスクが回転している間でも、外部の回路のコイル部との間の結合状態が安定に保たれる。
【図面の簡単な説明】
【図１】この発明が適用された光ディスクの説明に用いる平面図である。
【図２】この発明が適用された光ディスクの説明に用いる断面図である。
【図３】この発明が適用された光ディスクの説明に用いる断面図である。
【図４】この発明が適用された光ディスクの説明に用いるブロック図である。
【図５】この発明が適用された光ディスクの説明に用いるブロック図である。
【図６】この発明が適用された光ディスクの説明に用いるブロック図である。
【符号の説明】
１・・・光ディスク，１Ａ，１Ｂ・・・ディスク，６・・・回路部，７・・・コイル部
【図１】
0003882218.tif 000002
【図２】
0003882218.tif 000003
【図３】
0003882218.tif 000004
【図４】
0003882218.tif 000005
【図５】
0003882218.tif 000006
【図６】
0003882218.tif 000007